(57)【要約】【課題】酒類などの飲料が入った容器を単に密閉できるだけでなく、中身の飲料（移し替えた酒類や飲み残しの酒類など）の劣化を抑制することが可能な容器を提供する。【解決手段】本考案の飲料容器は、容器本体３と、その口部に取り付けるスクリューキャップ１ａを有する。スクリューキャップ１ａは、キャップ本体１３と逆止弁付き流路部材４を有している。使用時には、例えば、はじめにワインなどの飲料が入ったもとの容器を開栓し、続いて、開栓したもとの容器に入っていた飲料の全量または一部を別容器（例えば市販のペットボトル）に移し替える。そして、飲料を移し替えた別容器の口部に、逆止弁付き流路部材４を具備するスクリューキャップ１ａを取り付ける。次に、キャップ１ａに加圧ポンプを接続し、別容器内へ気体（外気や炭酸ガスなど）を強制的に送り込んで当該容器内を加圧し、この加圧した飲料入り容器をテイクアウト商品として顧客に提供する。【選択図】図１
0003233665.tif 000002
【実用新案登録請求の範囲】
【請求項１】
飲料容器用のねじ込み式のスクリューキャップであって、
容器本体の口部を塞ぐためのキャップ本体と、
前記キャップ本体で容器本体の口部を塞いだ状態で、容器本体内へ気体を送り込むための逆止弁付き流路部材と、
を有することを特徴とする飲料容器用キャップ。
【請求項２】
前記逆止弁付き流路部材は、
容器本体内へ強制的に気体を送り込む加圧ポンプを接続可能なポンプ接続部と、
容器本体内へ向けて気体を吐出するための気体吐出部と、
容器本体内に送り込まれた気体が容器外へ漏れることを防ぐための逆止弁と、を有し、
前記気体吐出部がキャップ本体の内側に露出し、前記ポンプ接続部がキャップ本体の外側に露出するように設けられる、ことを特徴とする請求項１に記載の飲料容器用キャップ。
【請求項３】
飲料用の容器本体と、
前記容器本体の口部に取り付ける請求項１又は２に記載のキャップと、
を有することを特徴とする飲料容器。
【請求項４】
飲料容器用のねじ込み式のスクリューキャップであって、
容器本体の口部を塞ぐためのキャップ本体と、
前記キャップ本体で容器本体の口部を塞いだ状態で、容器本体内の気体を容器外へ導くための逆止弁付き流路部材と、
を有することを特徴とする飲料容器用キャップ。
【請求項５】
前記逆止弁付き流路部材は、
容器本体内の気体を強制的に吸い込む減圧ポンプを接続可能なポンプ接続部と、
容器本体内の気体を吸い込むための気体吸引部と、
容器本体外へ排出された気体が容器内へ逆流することを防ぐための逆止弁と、を有し、
前記気体吸引部がキャップ本体の内側に露出し、前記ポンプ接続部がキャップ本体の外側に露出するように設けられる、ことを特徴とする請求項４に記載の飲料容器用キャップ。
【請求項６】
飲料用の容器本体と、
前記容器本体の口部に取り付ける請求項４又は５に記載のキャップと、
を有することを特徴とする飲料容器。
【考案の詳細な説明】
【技術分野】
【０００１】
本考案は、飲料容器内を加圧または減圧するための逆止弁付き流路部材を備えたキャップと、このキャップを有する飲料容器に関するものである。また、本考案は、前記キャップを使った飲料入り容器の提供方法に関するものである。
【背景技術】
【０００２】
近年では、ペットボトルやワインボトルなどの各種飲料容器に後付け可能な様々な容器キャップが提供されている。このキャップを容器の口部に取り付けることで、容器の内容物である飲料がこぼれないように容器の口部を密閉することができる。
【０００３】
（第１の課題）
従来の容器キャップは、ペットボトルやワインボトルなどの容器に後付けすることができ、この容器から飲料がこぼれないように口部を密閉できるといった程度の機能を有するにすぎず、容器内の飲料の劣化を防ぐことはできない。すなわち、飲料容器には、酒類、発泡飲料、炭酸飲料、清涼飲料など様々な飲料が収容されるが、開封と同時に容器内に外気が混入し、また容器の内圧は外気と等しくなり、開封と同時に飲料の劣化が始まる。例えば、炭酸飲料は、容器の開封と同時に炭酸が徐々に抜け始め、それに伴って発砲が急速に弱まってゆく。また例えば、ワインなどの酒類は、容器の開封と同時に外気に混入し、それに伴って酒類の酸化が進行して品質が急速に劣化してゆく。
【０００４】
そのため、飲料容器に後付けするキャップには、単に容器を密閉できるだけでなく、中身の飲料の劣化を抑制し品質保持可能な機能が求められている。
【０００５】
（第２の課題）
酒類は、一般的には酒類の小売販売業者から入手できる。また、飲食店においては、飲食提供サービスの一種として酒類の提供を受けることができる。
ところで、未開栓の酒類を販売するには酒類販売業免許が必要であり、開栓済の酒類の提供の場合には飲食店営業許可が必要である。そのため、酒類販売業免許を持たない飲食店は、飲食提供サービス（役務）として酒類の提供はできるものの、商品として未開栓の酒類の販売を行うことができなかった。
一方で、酒類販売業免許を持たない飲食店にも、（役務ではなく商品として）酒類の販売を望む声が多く、かかる要望に鑑み、酒類をいったん開栓して例えば別容器を移し替えて、これをテイクアウト商品として顧客に提供することが検討されている。
しかしながら、酒類をいったん開栓すると、（もとのキャップを閉めなおしても）酒類が外気に触れたり容器の内圧が外気と等しくなるなどして、中身の酒類の劣化が急速に進行する。そのため、酒類販売業免許を持たない飲食店が、酒類の品質を保持して販売することを可能にする手段として、新たな容器キャップ（単に容器を密閉できるだけでなく、中身の飲料の劣化を抑制し品質保持可能な機能を持つキャップ）が求められている。
【考案の概要】
【考案が解決しようとする課題】
【０００６】
そこで上述した従来技術の問題点と飲料容器用キャップ（容器キャップ）に対する要望に鑑み、本考案の目的は、飲料が入った容器を単に密閉できるだけでなく、中身の飲料（移し替えた飲料や飲み残しの飲料など）の劣化を抑制し品質を保持することが可能な、飲料容器用キャップおよび飲料容器を提供することにある。また、本考案の他の目的は、開栓済みの酒類等の飲料（移し替えた飲料や飲み残しの飲料など）の劣化を抑制し品質を保持することを可能とし、例えば、酒類販売業免許を持たない飲食店等が、酒類入り容器を（品質を劣化させることなく）テイクアウト商品として顧客に提供することを可能にする方法を提供することにある。
【課題を解決するための手段】
【０００７】
上記目的は、飲料容器用のねじ込み式のスクリューキャップ（着脱自在の容器キャップ）であって、
容器本体の口部に対しねじ結合させるためのねじ部を具備するキャップ本体と、
前記キャップ本体で容器本体の口部を塞いだ状態で、容器本体内へ気体を送り込むための逆止弁付き流路部材と、
前記キャップ本体を貫くように前記逆止弁付き流路部材を取り付けるための貫通孔と、
を有する飲料容器用キャップによって達成される。
【０００８】
上記の飲料容器用キャップにおいて、逆止弁付き流路部材は、
容器本体内へ強制的に気体を送り込む加圧ポンプを接続可能なポンプ接続部と、
容器本体内へ向けて気体を吐出するための気体吐出部と、
容器本体内に送り込まれた気体が容器外へ漏れることを防ぐための逆止弁と、を有し、
前記気体吐出部がキャップ本体の内側に露出し、前記ポンプ接続部がキャップ本体の外側に露出するように設けられる。
【０００９】
なお、容器本体内へ強制的に送り込む前記気体は、例えば、不活性ガスまたは炭酸ガス（二酸化炭素ガス）である。また、容器本体に収容する飲料は、例えば、酒類、発泡飲料、炭酸飲料または清涼飲料である。
【００１０】
また、前述した目的は、
口部に外ねじが形成された、飲料用の容器本体（飲料を収容可能な容器）と、
前記容器本体の口部に取り付ける、前記特徴を具備するキャップと、
を有する飲料容器によって達成される。
【００１１】
また、前述した目的は、飲料容器用のねじ込み式のスクリューキャップ（着脱自在の容器キャップ）であって、
容器本体の口部に対しねじ結合させるためのねじ部を具備するキャップ本体と、
前記キャップ本体で容器本体の口部を塞いだ状態で、容器本体内の気体を容器外へ導くための逆止弁付き流路部材と、
前記キャップ本体を貫くように前記逆止弁付き流路部材を取り付けるための貫通孔と、
を有する飲料容器用キャップによって達成される。
【００１２】
上記の飲料容器用キャップにおいて、逆止弁付き流路部材は、
容器本体内の気体を強制的に吸い込む減圧ポンプを接続可能なポンプ接続部と、
容器本体内の気体を吸い込むための気体吸引部と、
容器本体外へ排出された気体が容器内へ逆流することを防ぐための逆止弁と、を有し、
前記気体吸引部がキャップ本体の内側に露出し、前記ポンプ接続部がキャップ本体の外側に露出するように設けられる。
【００１３】
また、前述した目的は、
口部に外ねじが形成された、飲料を収容するための容器本体と、
前記容器本体の口部に取り付ける、前記特徴を具備するキャップと、
を有する飲料容器によって達成される。
【００１４】
また、前述した目的は、例えば酒類が入ったもとの容器を開栓し、開栓したもとの容器に入っていた酒類を、一般的に入手可能な市販の別容器に移し替え、酒類を移し替えた前記別容器に、前述した特徴を具備するキャップを取り付け、このキャップのポンプ接続部に加圧ポンプを接続し、前記加圧ポンプを作動させて、前記別容器内へ気体（例えば、外気、不活性ガスまたは炭酸ガス）を強制的に送り込むことによって達成される。
【００１５】
また、前述した目的は、例えば酒類が入った容器を開栓し、開栓した前記容器のキャップを、前述した特徴を具備するキャップに付け替え、このキャップのポンプ接続部に加圧ポンプを接続し、前記加圧ポンプを作動させて、前記別容器内へ気体を強制的に送り込むことによって達成される。
【考案の効果】
【００１６】
本考案の飲料容器用キャップおよびこれを具備する飲料容器によれば、飲料が入った容器を単に密閉できるだけでなく、後付けタイプの容器キャップであるにもかかわらず、中身の飲料（移し替えた飲料や飲み残しの飲料など）の劣化を抑制し品質を保持することができる。
【００１７】
また、本考案に係る方法によれば、開栓済みの酒類等の飲料（移し替えた飲料や飲み残しの飲料など）の劣化を抑制し品質を保持することを可能とし、例えば、酒類販売業免許を持たない飲食店等が、酒類入り容器を（中身の品質を劣化させることなく）テイクアウト商品として顧客に提供することが可能となる。
【００１８】
また、未開栓の酒類をいったん開栓し、本考案の容器キャップに付け替えることで（あるいは別容器に酒類を移し替えてその別容器に本考案の容器キャップに付けることで）、酒類販売業免許を持たない飲食店でも、法律に抵触することなく実質的に酒類の販売が可能になる。したがって、本考案を利用することで、飲食店の更なる収益向上に大きく貢献することになる。
【図面の簡単な説明】
【００１９】
【図１】本考案に係るキャップ（第１実施形態）を備えた飲料容器を例示する断面図である。
【図２】本考案に係るキャップ（第２実施形態）を備えた飲料容器を例示する断面図である。
【図３】本考案に係るキャップ（第１実施形態）の具体的実施形態を例示する断面図である。
【図４】本考案に係るキャップ（第２実施形態）の具体的実施形態を例示する断面図である。
【図５】本考案に係るキャップを備えた飲料容器（飲料を収容した状態）の内部を加または減圧する場合の装置を例示する図である。
【図６】本考案に係るキャップの産業上の利用例を示す図である。
【図７】本考案に係るキャップの産業上の利用例を示す図である。
【考案を実施するための形態】
【００２０】
（本考案の概要）
はじめに、図１と図２に基づいて本考案の概要について説明する。
【００２１】
本考案は、図１と図２の概略図に示すとおり、
・口部に外ねじが形成された飲料用の容器本体３と、
・容器本体３の口部に取り付けるねじ込み式のスクリューキャップ１ａと、
を有する飲料容器に関するものである。
【００２２】
図１に示す第１実施形態の飲料容器で用いるスクリューキャップ１ａは、
・容器本体３の口部に対しねじ結合させるためのねじ部１２を具備するキャップ本体１３と、
・容器本体３内へ気体を送り込むための逆止弁付き流路部材４と、
・キャップ本体１３の中央を貫くように逆止弁付き流路部材４を取り付けるための貫通孔１５を
有している。
【００２３】
図２に示す第２実施形態の飲料容器で用いるスクリューキャップ１ｂは、
・容器本体３の口部に対しねじ結合させるためのねじ部１２を具備するキャップ本体１３と、
・容器本体３内の気体を容器外へ導くための逆止弁付き流路部材６と、
・キャップ本体１３を貫くように逆止弁付き流路部材６を取り付けるための貫通孔１５を
有している。
【００２４】
このように、本考案に係るスクリューキャップ１ａ，１ｂは、逆止弁付き流路部材４，６を備えている。この出願では、逆止弁付き流路部材を備えたスクリューキャップを、必要に応じて「逆止弁付きキャップ」と略称する。
【００２５】
なお、本考案で利用可能な容器本体は、容器の口部にねじ込み式のスクリューキャップを取り付けることができ、かつ、一般的に入手可能なものであれば特に限定されない。例えば、一般的に入手可能なペットボトルやビンなどの市販の容器を用いることができる。
【００２６】
また、容器に収容する飲料の具体例としては、酒類、発泡飲料、炭酸飲料、清涼飲料などが挙げられる。
【００２７】
（第１実施形態の飲料容器用キャップ）
次に、第１実施形態の飲料容器が具備するスクリューキャップ１ａの具体的構成について、図３に基づいて説明する。
【００２８】
第１実施形態の飲料容器が具備するキャップ１ａは、図３に示すように、
・容器本体の口部に対しねじ結合させるためのねじ部１２を具備するキャップ本体１３と、
・容器本体１３内へ気体を送り込むための逆止弁付き流路部材４と、
・キャップ本体１３を貫くように逆止弁付き流路部材４を取り付けるための貫通孔１５を
有している。
【００２９】
キャップ１ａが具備する逆止弁付き流路部材４は、
・容器本体内へ強制的に気体を送り込む加圧ポンプを接続可能なポンプ接続部４１と、
・容器本体内へ向けて気体を吐出するための気体吐出部４２を
有している。
【００３０】
ここでいう容器本体内へ向けて吐出する「気体」とは、飲料（液体）を容器内に注いだ後に強制圧入する気体であって、その具体例としては、外気である空気や、不活性ガスや炭酸ガスなどのガスが挙げられる。不活性ガスや炭酸ガスなどガスを容器内に圧入する場合には、市販のボンベを用いることができる。
【００３１】
また、逆止弁付き流路部材４は、
・上端のポンプ接続部４１（開口部）からその下の空気穴４８に通ずる縦長の流路（図示せず）を内部に有するプランジャー４３と、
・プランジャー４３を保持し、当該プランジャー内部の流路を通じて導かれた気体をキャップ本体１３の内側へガイドする、縦長の略筒状のバルブステム４４と、
・外側に位置するバルブステム４４と内側に位置するプランジャー４３を同心状態で一体化させるための袋ナット４５と、
・容器本体内に送り込まれた気体が容器外（キャップの外）へ逆流することを防ぐための虫ゴム４６（逆止弁）と、
・プランジャー４３と一体化したバルブステム４４をキャップ本体１３に固定するためのリムナット４７を
有している。
【００３２】
袋ナット４５は、バルブステム４４を外側から締め付けることで、当該バルブステム４４とその内側のプランジャー４３を密着させかつ一体化させる。
【００３３】
プランジャー４３は、その上端に、容器本体内へ強制的に気体を送り込む加圧ポンプを接続可能なポンプ接続部４１（開口部）を有している。プランジャー４３の上端のポンプ接続部４１を介して送り込まれた気体は、プランジャー４３内部の流路を通って空気穴４８から排出される。このプランジャー４３は、バルブステム４４の流路５１の上側を塞ぐように設けられている。
【００３４】
バルブステム４４は、その下端に周囲に張り出した底部５２を有しており、当該底部５２とリムナット４７との間でキャップ本体１３を挟持している。リムナット４７を確りと締め付けることで、逆止弁付き流路部材４がキャップ本体１３に固定され、かつ、容器内からの気体の漏出を防止することができる。
【００３５】
虫ゴム４６（逆止弁）は、プランジャー４３を介して気体を容器本体内に送り込むときには、空気穴４８からの気体の圧力を受けて弾性変形して拡がり（すなわち開弁し）、その結果、空気穴４８から排出された気体が流路５１を通じて容器内へ放出される。
これ以外のとき、すなわち、気体を容器本体内に送り込まないときには、虫ゴム４６（逆止弁）は、プランジャー４３の外周面に密着して空気穴４８を塞ぐ（すなわち閉弁する）。その結果、空気穴４８を塞ぐ虫ゴム４６（閉弁状態の逆止弁）によって、容器本体内に送り込まれた気体が容器外へ漏れることがない。つまり、容器内が気体によって加圧された状態が維持される。
【００３６】
なお、リムナット４７と、キャップ本体１３の上面との間には、気体漏れを防止するためのシール部材（パッキン）を設けてもよい。同様に、張り出した底部５２と、キャップ本体１３の底面との間には、気体漏れを防止するためのシール部材（パッキン）を設けてもよい。
【００３７】
上記構成の逆止弁付き流路部材４は、気体吐出部４２がキャップ本体１３の内側に露出し、ポンプ接続部４１がキャップ本体１３の外側に露出するように設けられている。
【００３８】
（第２実施形態の飲料容器用キャップ）
次に、第２実施形態の飲料容器が具備するスクリューキャップ１ｂの具体的構成について、図４に基づいて説明する。
【００３９】
第２実施形態の飲料容器が具備するキャップ１ｂは、図４に示すように、
・容器本体の口部に対しねじ結合させるためのねじ部１２を具備するキャップ本体１３と、
・容器本体内の気体を容器外へ導くための逆止弁付き流路部材６と、
・キャップ本体１３を貫くように逆止弁付き流路部材６を取り付けるための貫通孔１５を
有している。
【００４０】
キャップ１ｂが具備する逆止弁付き流路部材６は、
・容器本体内の気体を強制的に吸い込む減圧ポンプを接続可能なポンプ接続部６１と、
・容器本体内の気体を吸い込むための気体吸引部６２を
有している。
【００４１】
ここでいう容器本体内の「気体」とは、容器内に注がれた飲料（液体）の上に残留している空気を意味する。この空気の一部または全部を逆止弁付き流路部材６を介して、容器を密閉している状態のキャップ１ｂの外部へ排出する。
【００４２】
また、逆止弁付き流路部材６は、
・容器内に残留している気体をキャップ本体１３の外側へガイドするバルブステム６４と、
・容器本体外へ排出された気体が容器内（キャップ内側）へ逆流することを防ぐための球状弁体６６（逆止弁）と、
・球状弁体６６（逆止弁）を閉方向、すなわち図面下向きに常時押し込んでいるバネ６３と、
・球状弁体６６（逆止弁）を具備するバルブステム６４をキャップ本体に固定するためのリムナット６７を
有している。
【００４３】
バルブステム６４は、その上端に、容器本体内の気体を強制的に吸い込む減圧ポンプを接続可能なポンプ接続部６１（開口部）を有している。バルブステム６４上端のポンプ接続部６１を介して気体の吸引を行うと、バネ６３のバネ力に抗して球状弁体６６（逆止弁）が弁座６５から離れ（すなわち開弁し）、その結果、バルブステム６４内の流路７０，７１を通って容器内の気体が排出される。
【００４４】
バルブステム６４は、その下端に周囲に張り出した底部７２を有しており、当該底部７２とリムナット６７との間でキャップ本体１３を挟持している。リムナット６７を確りと締め付けることで、逆止弁付き流路部材６がキャップ本体１３に固定され、かつ、容器内への気体の逆流を防止することができる。
【００４５】
球状弁体６６（逆止弁）は、容器本体内から気体を排出するときには、吸引に伴う負圧を受けてバネ６３が弾性変形して弁座６５から離れ（開弁し）、その結果、容器内の気体が流路７０，７１を通じて容器外へ排出される。
これ以外のとき、すなわち、容器内から気体を排出しないときには、球状弁体６６（逆止弁）は、バネ６３のバネ力によって弁座６５に密着して閉弁状態を維持する。その結果、外気が容器本体内に流入することがない。
【００４６】
なお、リムナット６７と、キャップ本体１３の上面との間には、気体漏れを防止するためのシール部材（パッキン）を設けてもよい。同様に、張り出した底部７２と、キャップ本体１３の底面との間には、気体漏れを防止するためのシール部材（パッキン）を設けてもよい。
【００４７】
上記構成の逆止弁付き流路部材６は、気体吸引部４２がキャップ本体１３の内側に露出し、ポンプ接続部６１がキャップ本体１３の外側に露出するように設けられている。
【００４８】
（容器内の加圧に使う加圧装置／容器内の減圧に使う減圧装置）
スクリューキャップで密閉した容器内に強制的に気体を送り込んで、当該容器内を加圧する場合には、所定量の飲料を収容した状態の容器の口部に、図３に示す逆止弁付き流路部材４を具備するスクリューキャップ１ａを取り付ける。
【００４９】
そして、容器内に強制的に「外気（空気）」を送り込む場合には、図５（ａ）に示す様に、圧送ポンプＰ１と逆止弁Ｃを有する加圧装置を、耐圧ホースを介して、キャップのポンプ接続部に接続する。
このように、飲料を収容した容器内に高圧の外気を導入して容器内の気圧を上げることで、収容している飲料の劣化が抑制される。
【００５０】
また、容器内に強制的に「不活性ガスや炭酸ガスなどの予め定めた特定のガス」を送り込む場合には、図５（ｂ）に示す様に、圧送ポンプＰ１と逆止弁Ｃを有する加圧装置の一方をガスボンベに接続し、他方を、耐圧ホースを介してキャップのポンプ接続部に接続する。
このように、飲料を収容した容器内に高圧のガスを導入して容器内の気圧を上げることで、収容している飲料の劣化が抑制される。
なお、図５（ｂ）に示す様に、ガスボンベをキャップのポンプ接続部に接続する場合には、当該ガスボンベ自体を加圧装置として利用することもできる。
【００５１】
一方、スクリューキャップで密閉した容器内の気体を強制的に排出して、当該容器内を減圧する場合には、飲料を収容した状態の容器の口部に、図４に示す逆止弁付き流路部材６を具備するスクリューキャップ１ｂを取り付ける。
そして、図５（ｃ）に示す様に、圧送ポンプＰと逆止弁Ｃを有する減圧装置を、耐圧ホースを介して、キャップのポンプ接続部に接続する。
このように、飲料を収容した容器内を減圧して真空に近づけることで、収容している飲料の劣化が抑制される。
【００５２】
（本考案の応用例１）
次に、図３と図６に基づいて、飲食業における本考案の応用例（１）について説明する。例えば、飲食店などにて、ワインや日本酒などの酒類をテイクアウトする場合を想定する。
【００５３】
このような場合、はじめにワインや日本酒などの酒類が入ったもとの容器を開栓する。
続いて、開栓したもとの容器に入っていた酒類の全量または一部を、一般的に入手可能な市販の別容器（例えばペットボトル）に移し替える。あるいは、飲み切れずに残った酒類を、もとの容器から別容器に移し替えてもよい。
そして、酒類を移し替えた別容器の口部に、図３に示す逆止弁付き流路部材４を具備するスクリューキャップ１ａ（加圧タイプのキャップ）を取り付ける。
次に、キャップのポンプ接続部に、図５（ａ）や図５（ｂ）に示すような加圧ポンプＰ１を接続する。
そして、加圧ポンプを作動させて、別容器内へ気体を強制的に送り込んで、当該容器内を気体で加圧し、この加圧した飲料入り容器をテイクアウト商品として顧客に提供する。
【００５４】
（本考案の応用例２）
次に、図３と図７に基づいて、飲食業における本考案の応用例（２）について説明する。例えば、飲食店などにて、ワインや日本酒などの酒類をテイクアウトする場合を想定する。
【００５５】
このような場合、はじめにワインや日本酒などの酒類が入ったもとの容器を開栓する。
続いて、開栓した容器の口部に、図３に示す逆止弁付き流路部材４を具備するスクリューキャップ１ａ（加圧タイプのキャップ）を取り付ける。すなわち、もとのキャップから、本考案に係るキャップに付け替える。キャップを付ける容器は、もとの容器のままとする。
次に、キャップのポンプ接続部に、図５（ａ）や図５（ｂ）に示すような加圧ポンプＰ１を接続する。
そして、加圧ポンプを作動させて、別容器内へ気体を強制的に送り込んで、当該容器内を気体で加圧し、この加圧した飲料入り容器をテイクアウト商品として顧客に提供する。
【００５６】
なお、上述した応用例１、応用例２では、容器内を加圧する場合について例示したが、図４に示す逆止弁付き流路部材６を具備するスクリューキャップ１ｂ（減圧タイプのキャップ）を容器に取り付けて、当該容器内を減圧し、これをテイクアウト商品として顧客に提供してもよい。
【符号の説明】
【００５７】
１ａ    スクリューキャップ（加圧タイプのキャップ）
１ｂ    スクリューキャップ（減圧タイプのキャップ）
３      容器本体
４      逆止弁付き流路部材（加圧タイプの流路部材）
６      逆止弁付き流路部材（減圧タイプの流路部材）
１２    ねじ部
１３    キャップ本体
１５    貫通孔
４１    ポンプ接続部
４２    気体吐出部
４３    プランジャー
４４    バルブステム
４５    袋ナット
４６    虫ゴム（逆止弁）
４７    リムナット
４８    空気穴
５１    流路
５２    底部
６１    ポンプ接続部
６２    気体吸引部
６３    バネ
６４    バルブステム
６５    弁座
６６    球状弁体（逆止弁）
６７    リムナット
７０    流路
７１    流路
７２    底部
【図１】
0003233665.tif 000003
【図２】
0003233665.tif 000004
【図３】
0003233665.tif 000005
【図４】
0003233665.tif 000006
【図５】
0003233665.tif 000007
【図６】
0003233665.tif 000008
【図７】
0003233665.tif 000009